(57)【要約】【課題】被打込体に打ち込まれたピンタッカーを抜けにくくして接着剤の併用を必ずしも必要とせず、しかも、ピンタッカーに頭部を形成してタッカー機で打ち込み易くするとともに、該頭部を被打込体表面から埋設させて打ち込むことの容易なピンタッカーを提供する。【解決手段】本発明のピンタッカーは、複数本のピンタッカー１で該ピンタッカーの打ち込み方向と直交する方向に互いに連接されたピンタッカー群２を構成し、該ピンタッカー群２を装填したタッカー機で端部のピンタッカー１をピンタッカー群２から離脱させながら、被打込体３に打ち込むようにしたピンタッカーにおいて、ピンタッカー１の心棒１２の周面に戻り防止用反り片１１を形成したことを特徴とする。【選択図】　図１
2004011879.tif 000002
【特許請求の範囲】
【請求項１】
複数本のピンタッカーで該ピンタッカーの打ち込み方向と直交する方向に互いに連接されたピンタッカー群を構成し、該ピンタッカー群を装填したタッカー機で端部のピンタッカーをピンタッカー群から離脱させながら、被打込体に打ち込むようにしたピンタッカーにおいて、ピンタッカーの心棒の周面に戻り防止用反り片を形成したことを特徴とするピンタッカー。
【請求項２】
上記戻り防止用反り片を、ピンタッカーの心棒を塑性変形させて一体形成した請求項１記載のピンタッカー。
【請求項３】
上記戻り防止用反り片を心棒の長手方向に間隔をおいて複数個形成した請求項１記載のピンタッカー。
【請求項４】
上記心棒の頂部に、該心棒の径より大径の頭部を形成した請求項１記載のピンタッカー。
【請求項５】
上記心棒の頂部に、該戻り防止用反り片の水平方向の外形寸法より小径の頭部を形成した請求項４記載のピンタッカー。
【発明の詳細な説明】
【０００１】
【発明の属する技術分野】
本発明は、ピンタッカーに関する。さらに詳しくはモールや額縁等の被打込体を框等に固定するためにタッカー機に装填されるピンタッカーに関するものである。
【０００２】
【従来の技術】
従来、モールや額縁等の被打込体を框等の本体に接着剤で固定するとき、該接着剤が固まるまで、該被打込体を本体に仮固定しておくために、タッカー機に装填されたピンタッカーを、被打込体につぎつぎと打ち込んでいた。従来のピンタッカー単体を図６及び図７に示す。図６に示したピンタッカー１は頭部のない針状のものであり図７に示したピンタッカー１は上端に頭部を有するものである。これらのピンタッカー１は複数本が該ピンタッカーの打ち込み方向と直交する方向に互いに連接されたピンタッカー群とされ、該ピンタッカー群がタッカー機（図示せず）に装填され、装填されたピンタッカー群の端のピンタッカーが該ピンタッカー群から切り離されてつぎつぎと被打込体に打ち込まれていくというものである。
【発明が解決しようとする課題】
【０００３】
しかしながら、上記従来のピンタッカーは、基本的には仮止め用として接着剤と併用されるものであり、接着剤が硬化したあとはその使命を達成したことになる。上記従来のピンタッカーは長期間の経年変化によって抜けてくるという問題があり、また、図７に示したピンタッカーはその頭部が表面に露出して被打込体の美観を損ねるという問題があり、また、図６に示した頭部のないピンタッカーは被打込体の表面から埋設させて打ち込むことにより、被打込体表面の美観を損ねないようにすることができるが、頭部がないピンタッカーはタッカー機で打ち込みにくいという問題があった。本発明は、被打込体に打ち込まれたピンタッカーを抜けにくくして接着剤との併用を必要とせず、しかも、ピンタッカーに頭部を形成して該ピンタッカーをタッカー機で打ち込み易くするとともに、該頭部を被打込体表面から埋設させて打ち込むことの容易なピンタッカーを提供することをその課題とする。
【０００４】
【課題を解決するための手段】
本発明は、上記課題を解決するために考え出されたものであって、つぎのような技術的手段を講じている。すなわち、請求項１に記載のピンタッカーは、複数本のピンタッカーで該ピンタッカーの打ち込み方向と直交する方向に互いに連接されたピンタッカー群を構成し、該ピンタッカー群を装填したタッカー機で端部のピンタッカーをピンタッカー群から離脱させながら、被打込体に打ち込むようにしたピンタッカーにおいて、ピンタッカーの心棒の周面に戻り防止用反り片を形成したことを特徴とするものである。このピンタッカーで、被打込体を構造体に打ち込み固定したとき、戻り防止用反り片の作用により該ピンタッカーが抜けにくく、従って、被打込体と構造体との間の接着剤の使用を極力押さえることができる。
【０００５】
請求項２に記載のピンタッカーは、請求項１に記載のピンタッカーにおいて、戻り防止用反り片を、ピンタッカーの心棒を塑性変形させて一体形成したことを特徴とするものである。このような構成のピンタッカーは、特に、戻り防止用反り片の形成が容易で、且つ、心棒と一体となった戻り防止用反り片が被打込体にしっかりと食い込む効果がある。
【０００６】
請求項３に記載のピンタッカーは、請求項１に記載のピンタッカーにおいて、戻り防止用反り片を心棒の長手方向に間隔をおいて複数個形成したことを特徴とするものである。このような構成のピンタッカーは、特に、複数個の戻り防止用反り片が被打込体及び構造体の両者に食い込むので、該両者は安定して強固に固定される。
【０００７】
請求項４に記載のピンタッカーは、請求項１に記載のピンタッカーにおいて、心棒の頂部に、該心棒の径より大径の頭部を形成したことを特徴とするものである。このような構成のピンタッカーは、タッカー機がピンタッカーの頭部を打ち込むことにより、ピンタッカーをまっすぐ確実に打ち込むことができる。
【０００８】
請求項５に記載のピンタッカーは、請求項４に記載のピンタッカーにおいて、心棒の頂部に、該戻り防止用反り片の水平方向の外形寸法より小径の頭部を形成したことを特徴とするものである。このような構成のピンタッカーは、被打込体及び構造体にピンタッカーを打ち込んだとき、水平方向の外形寸法の大きい戻り防止用反り片が既に打ち込まれているから、ピンタッカーの頭部を被打込体に埋設させた状態でピンタッカーを打ち込むことが容易である。
【０００９】
【発明の実施の形態】
以下、本発明の好ましい実施の形態について、図面を参照してさらに詳細に説明する。図１は本発明にかかるピンタッカーの一実施例を示す正面図であり、同図において、ピンタッカー１はその心棒１２の長手方向に略等間隔で４個の戻り防止用反り片１１が形成されている。該それぞれの戻り防止用反り片１１は心棒１２の外周面に１８０度の間隔で設けられた一対のトゲ片１１１で形成されている。ピンタッカー１は鉄、黄銅、ステンレス、アルミ等からなる金属で構成されており、戻り防止用反り片１１はピンタッカー１の心棒１２を塑性変形させて一体形成されている。２はピンタッカー群であり該ピンタッカー群２は、図２に示す如く、該複数本のピンタッカー１をその打ち込み方向と直交する方向に互いに接着剤で連接したものである。接着剤を使用する代わりに各ピンタッカー１、１間に切り込みを入れてその境界部を切り離し可能な薄肉部としても良い。該ピンタッカー群２はタッカー機（図示せず）に装填され、最端部のピンタッカー１がピンタッカー群２から離脱されながら、被打込体３に打ち込まれるのである。図３はドアーを実施例として該ピンタッカー１でモールからなる被打込体３を框からなる構造体４に固定した状態を示す部分断面図である。このとき、被打込体３と構造体４との間には接着剤は使用していないが、必要に応じて接着剤を併用してもよい。同図に示すようにピンタッカー１の戻り防止用反り片１１は被打込体３及び構造体４のいずれにも食い込んでおり被打込体３が構造体４にしっかりと固定されるのである。図４はドア−を実施例として、構造体４に２本の被打込体３、３を一定間隔を開けてピンタッカー１で固定するとともに、被打込体３、３間にガラスからなる鏡板５を挟持したものである。
【００１０】
図５は本発明にかかるピンタッカーの他の実施例を示す正面図であり、該実施例のピンタッカー１は心棒１２の頂部に、該心棒１２の径より大径の頭部１３を形成している。ピンタッカー群２を装填したタッカー機で各ピンタッカー１を端から順次打ち込んでいくとき、タッカー機がピンタッカー１の頭部１３を打ち込むことにより、ピンタッカー１をまっすぐ確実に打ち込むことができるようにしている。又、該頭部１３は、該戻り防止用反り片１１の水平方向の最大外形寸法より即ち戻り防止用反り片１１を構成するトゲ片１１１、１１１の水平方向の最大外形寸法よりも小径となっている。このため、被打込体３及び構造体４にピンタッカー１を打ち込んだとき、外形寸法の大きい戻り防止用反り片１１が既に打ち込まれているから、ピンタッカー１の頭部１３を被打込体３に埋設させて打ち込むことが容易になるようにしている。
【００１１】
【発明の効果】
以上述べたように、請求項１に記載のピンタッカーは、複数本のピンタッカー１で該ピンタッカーの打ち込み方向と直交する方向に互いに連接されたピンタッカー群２を構成し、該ピンタッカー群２を装填したタッカー機で端部のピンタッカー１をピンタッカー群２から離脱させながら、被打込体３に打ち込むようにしたピンタッカーにおいて、ピンタッカー１の心棒１２の周面に戻り防止用反り片１１を形成したから、被打込体３及び被打込体３が固定される構造体４に打ち込まれたピンタッカー１は、戻り防止用反り片１１の作用によりこれら被打込体３及び構造体４から抜けにくくなり、従って、被打込体３と構造体４との間の接着剤の使用を極力押さえることができる。
【００１２】
請求項２に記載のピンタッカーは、請求項１に記載のピンタッカーにおいて、戻り防止用反り片１１を、ピンタッカー１の心棒１２を塑性変形させて一体形成したから、戻り防止用反り片１１の形成が容易で、且つ、心棒１２と一体となった戻り防止用反り片１１はその強度が安定しており、従って、該戻り防止用反り片１１が被打込体３にしっかりと食い込む効果がある。
【００１３】
請求項３に記載したピンタッカーは、請求項１に記載のピンタッカーにおいて、戻り防止用反り片１１を心棒１２の長手方向に間隔をおいて複数個形成したから、複数個の戻り防止用反り片１１が被打込体３及び構造体４の両者に食い込むので、該両者は安定して強固に固定される。
【００１４】
請求項４に記載したピンタッカーは、請求項１に記載のピンタッカーにおいて、心棒１２の頂部に、該心棒１２の径より大径の頭部１３を形成したから、ピンタッカー群を装填したタッカー機で各ピンタッカー１を端から順次打ち込んでいくとき、タッカー機がピンタッカー１の頭部１３を打ち込むことにより、ピンタッカー１をまっすぐ確実に打ち込むことができるという効果がある。
【００１５】
請求項５に記載したピンタッカーは、請求項４に記載のピンタッカーにおいて、心棒１２の頂部に、該戻り防止用反り片１１の水平方向の外形寸法より小径の頭部１３を形成したから、被打込体３及び構造体４にピンタッカー１を打ち込んだとき、外形寸法の大きい戻り防止用反り片１１が既に打ち込まれていることになり、ピンタッカー１の頭部１３を被打込体３に埋設させた状態でピンタッカー１を打ち込むことが容易である。
【図面の簡単な説明】
【図１】本発明にかかるピンタッカーの一実施例を示す正面図。
【図２】上記実施例におけるピンタッカーが該ピンタッカーの打ち込み方向と直交する方向に互いに連接されたピンタッカー群を示す斜視図。
【図３】上記実施例におけるピンタッカーを使用して被打込体であるモールを固定した状態を示す部分断面図。
【図４】上記実施例におけるピンタッカーを使用して固定された２本のモールで鏡板を固定した状態を示す部分断面図。
【図５】本発明にかかるピンタッカーの他の実施例を示す正面図。
【図６】従来のピンタッカーの一実施例を示す正面図。
【図７】従来のピンタッカーの他の実施例を示す正面図。
【符号の説明】
１　　　　ピンタッカー
１１　　　ピンタッカーの戻り防止用反り片
１１１　　トゲ片
１２　　　ピンタッカーの心棒
１３　　　ピンタッカーの頭部
２　　　　ピンタッカー群
３　　　　被打込体
４　　　　構造体
５　　　　鏡板
【図１】
2004011879.tif 000003
【図２】
2004011879.tif 000004
【図３】
2004011879.tif 000005
【図４】
2004011879.tif 000006
【図５】
2004011879.tif 000007
【図６】
2004011879.tif 000008
【図７】
2004011879.tif 000009